(57)【特許請求の範囲】
【請求項１】
操作ブロック部と接点ブロック部とを備えたスイッチ装置の取付構造であって、
スイッチ装置が取付けられる取付板の後面側に、接点ブロック部を収納する保護ハウジングを配置し、
前記保護ハウジングは、有底筒状の本体ケースと、接点ブロック部を本体ケース内に配置した状態で本体ケースの開口を覆って本体ケースに取付けられる有底筒状の蓋ケースとを備え、
取付板の前面側に位置する操作ブロック部と、取付板の後面側に位置する前記保護ハウジングとで取付板を挟んだ状態で取付けられ、この取付板を挟んだ状態において、保護ハウジングにおける前記本体ケースの底面が取付板の後面に当接して取り付けられていることを特徴とするスイッチ装置の取付構造。
【請求項２】
操作ブロック部と接点ブロック部とを備えたスイッチ装置の取付構造であって、
スイッチ装置が取付けられる取付板の後面側に、接点ブロック部を収納する保護ハウジングを配置し、
前記保護ハウジングは、有底筒状の本体ケースと、接点ブロック部を本体ケース内に配置した状態で本体ケースの開口を覆って本体ケースに取付けられる有底筒状の蓋ケースとを備え、
取付板の前面側に位置する操作ブロック部と、取付板の後面側に位置する前記保護ハウジングとで取付板を挟んだ状態で取付けられ、この取付板を挟んだ状態において、保護ハウジングにおける前記本体ケースの周面のうちの何れかの面が取付板の後面に当接して取り付けられていることを特徴とするスイッチ装置の取付構造。
【請求項３】
前記本体ケースは回転規制手段によって回転が規制された状態で取付板に固定されている、請求項１又は２記載のスイッチ装置の取付構造。
【請求項４】
半割れ状であって、操作ブロック部と接点ブロック部とを備えたスイッチ装置の前記接点ブロック部をその内部に収納して接点ブロック部を保護するスイッチ装置の保護ハウジングであって、
取付板の後面及び前面の何れにも取付け可能な有底筒状の本体ケースであって、その底面には操作ブロック部が挿入可能な取付孔が形成されていると共に、その周面には電線ケーブル引出し用孔を形成可能な孔形成部が設けられ、本体ケースが取付板の後面に取り付けられる場合は本体ケースの底面が取付板の後面に当接して取り付けられ、取付板の前面に取り付けられる場合は本体ケースを反転させて、本体ケースの底面が取付板の前面に当接して取り付けられる、そのような本体ケースと、
有底筒状であって、その底面には操作ブロック部が挿入可能な取付孔を形成可能な孔形成部が設けられ、本体ケースが取付板に取り付けられた後に接点ブロック部を本体ケース内に配置した状態で、本体ケースの開口を覆う蓋ケースと、
を備えことを特徴とするスイッチ装置の保護ハウジング。
【発明の詳細な説明】
【技術分野】
【０００１】
本発明は、操作ブロック部と接点ブロック部とから構成されるスイッチ装置の取付構造及びその取付構造に使用する保護ハウジングに関し、詳しくは、スイッチ装置の接点ブロック部を水や塵から保護する保護構造を確保しつつ、取付パネル等の所定箇所に直接取り付けることができるスイッチ装置の取付構造及びその取付構造に使用する保護ハウジングに関するものである。
【背景技術】
【０００２】
制御盤や操作パネル等にスイッチ装置を取付ける際に、スイッチ装置の接点ブロック部を水や塵から保護することが要請されている。そこで、かかる要請に応じるために、ボックス型のスイッチ装置が提案されている（例えば特開平９−１３９１４０号公報参照）。このボックス型のスイッチ装置は取付パネルの前面側に取付られた箱体を備え、この箱体内に接点ブロック部が収納され且つ操作ブロック部が箱体の外部に露出した構成となっている。
【０００３】
このようなボックス型のスイッチ装置では、接点ブロック部の防水・防塵が確保されている。しかしながら、ボックス型のスイッチ装置は取付パネルの前面側に取り付けられる構造となっているため、箱体の奥行き分が取付パネルから突出した構造となっている。そのため、従来から、取付パネルからの突出量の小さい取付構造が望まれていた。
【０００４】
そこで、図１４に示すスイッチ装置の取付構造が提案されている。以下、このスイッチ装置の取付構造について説明する。このスイッチ装置５０は、図１４（１）に示すように、操作ブロック部５１と接点ブロック部５２とを有し、且つ操作ブロック部５１と接点ブロック部５２とが分離可能であって、図示しないロックレバーによって操作ブロック部５１と接点ブロック部５２とを連結することが可能な構造となっている。このようなスイッチ装置を以下のようにして取付パネル５８に取り付ける。先ず、接点ブロック部５２を保護するゴム製の保護カバー５４を準備する。この保護カバー５４には、その裏面に電線ケーブル５５の引出し用孔５６が形成され、その表面に取付孔５７が形成されている。また、取付パネル５８に取付孔５９を形成しておき、取付パネル５８の外部側（前面側）に操作ブロック部５１を配置し、且つこの操作ブロック部５１の後端部を取付孔５９を介して取付パネル５８の内部側（後面側）に位置させ、固定部材５３で取り付ける。次いで、操作ブロック部５１の後端部に接点ブロック部５２を装着させ、図示しないロックレバーによって連結固定する。これにより、操作ブロック部５１と固定部材５３とで取付パネル５８が挟まされ状態となって、スイッチ装置５０が取付パネル５８に支持固定される。次いで、接点ブロック部５２を覆うようにして保護カバー５４を装着する。なお、この作業と同時に、電線ケーブル５５を引出し用孔５６から引き出す作業を行なう。こうして、図１４（２）に示すように、取付パネル５８の前面側には操作ブロック部５１のみが位置し、取付パネル５８の後面側には保護カバー５４が装着された接点ブロック部５２が位置したスイッチ装置５０が実現する。
【０００５】
上記スイッチ装置では、取付パネル５８の前面側には操作ブロック部５１のみが位置しているので、上記ボックス型のスイッチ装置に比べて、取付パネル５８からの突出量が格段に小さくなっており、且つ、保護カバー５４によって接点ブロック部５２の防水・防塵を確保も達成されている。
【０００６】
【特許文献１】特開平９−１３９１４０号公報
【発明の開示】
【発明が解決しようとする課題】
【０００７】
しかしながら、上記保護カバー５４を用いた従来技術では、以下のような課題がある。
（１）保護カバー５４は接点ブロック部５２に合わせた形状となるため、接点ブロック部５２の形状が異なるスイッチ装置毎に保護カバー５４を準備しておく必要がある。
（２）また、保護カバー５４の取付孔５７の径を小さくしておけば、防水・防塵効果を充分に発揮できるが、そうすると、保護カバー５４で接点ブロック部５２を覆う作業が困難となり、作業性が悪くなる。一方、作業性を良好とするためには、保護カバー５４の取付孔５７の径を大きくすればよいが、そうすると、防水・防塵効果が低下する。
（３）また、接点ブロック部５２に保護カバー５４を装着する作業と同時に、電線ケーブル５５を引出し用孔５６から引き出す作業を行なう必要がある。そのため、作業性が悪い。
（４）また、操作部５１と固定部材５３とで取付パネル５８を挟み込んだ状態でスイッチ装置が取付パネル５８に支持固定される構造であるので、ある程度の取付強度はあるが、スイッチ装置５０の適用環境によってはより強い取付強度が必要な場合がある。
【０００８】
本発明は、上記の実情を鑑みて考え出されたものであり、その目的は、形状の異なる接点ブロックを備えたスイッチ装置に適用可能であり、取付板の前面からの突出量が小さく、取付作業性が良く、取付強度及び接点ブロックの防水・防塵機能が向上したスイッチ装置の取付構造及びその取付構造に使用する保護ハウジングを提供することである。
【課題を解決するための手段】
【０００９】
上記目的を達成するために、本発明のうち請求項１記載の発明は、操作ブロック部と接点ブロック部とを備えたスイッチ装置の取付構造であって、スイッチ装置が取付けられる取付板の後面側に、接点ブロック部を収納する保護ハウジングを配置し、前記保護ハウジングは、有底筒状の本体ケースと、接点ブロック部を本体ケース内に配置した状態で本体ケースの開口を覆って本体ケースに取付けられる有底筒状の蓋ケースとを備え、取付板の前面側に位置する操作ブロック部と、取付板の後面側に位置する前記保護ハウジングとで取付板を挟んだ状態で取付けられ、この取付板を挟んだ状態において、保護ハウジングにおける前記本体ケースの底面が取付板の後面に当接して取り付けられていることを特徴とする。
【００１０】
上記の如く、取付板の前面側に位置する操作ブロック部と取付板の後面側に位置する保護ハウジングとで取付板を挟んだ状態で取付けられることにより、取付板の前面側には操作ブロック部のみが存在することになり、取付板の前面側への突出量を小さくできる。
また、保護ハウジングによって接点ブロック部を収納するので、複数のスイッチの各接点ブロック部を一括して収納することが可能となる。
また、保護ハウジングを使用するので、配線作業完了後に保護ハウジングを閉じればよいので、保護カバーを用いる従来例に比べて作業性が良好である。
更に、保護ハウジングによって接点ブロック部を収納するので、保護カバーを用いる従来例に比べて接点ブロックの防水・防塵機能が向上する。
【００１２】
また、請求項２記載の発明は、操作ブロック部と接点ブロック部とを備えたスイッチ装置の取付構造であって、スイッチ装置が取付けられる取付板の後面側に、接点ブロック部を収納する保護ハウジングを配置し、前記保護ハウジングは、有底筒状の本体ケースと、接点ブロック部を本体ケース内に配置した状態で本体ケースの開口を覆って本体ケースに取付けられる有底筒状の蓋ケースとを備え、取付板の前面側に位置する操作ブロック部と、取付板の後面側に位置する前記保護ハウジングとで取付板を挟んだ状態で取付けられ、この取付板を挟んだ状態において、保護ハウジングにおける前記本体ケースの周面のうちの何れかの面が取付板の後面に当接して取り付けられていることを特徴とする。
【００１３】
取付板の後面に障害物が存在するような場合、例えば、本体ケースの底面を取付板の後面に当接させた取付構造では、横幅の占め占有空間が大きすぎて当該障害物とぶつかってしまう恐れがある。これに対して、本体ケースの周面のうちの何れかの面を取付板の後面に当接させる取付構造であれば、横幅の占め占有空間が小さいので、かかる問題を解決することができる。
【００１４】
また、請求項３記載の発明は、請求項１又は２記載のスイッチ装置の取付構造であって、前記本体ケースは回転規制手段によって回転が規制された状態で取付板に固定されていることを特徴とする。
【００１５】
上記構成により、本体ケースは、回転することなく強固に取付板に固定される。
【００１６】
また、請求項４記載の発明は、半割れ状であって、操作ブロック部と接点ブロック部とを備えたスイッチ装置の前記接点ブロック部をその内部に収納して接点ブロック部を保護するスイッチ装置の保護ハウジングであって、
取付板の後面及び前面の何れにも取付け可能な有底筒状の本体ケースであって、その底面には操作ブロック部が挿入可能な取付孔が形成されていると共に、その周面には電線ケーブル引出し用孔を形成可能な孔形成部が設けられ、本体ケースが取付板の後面に取り付けられる場合は本体ケースの底面が取付板の後面に当接して取り付けられ、取付板の前面に取り付けられる場合は本体ケースを反転させて、本体ケースの底面が取付板の前面に当接して取り付けられる、そのような本体ケースと、
有底筒状であって、その底面には操作ブロック部が挿入可能な取付孔を形成可能な孔形成部が設けられ、本体ケースが取付板に取り付けられた後に接点ブロック部を本体ケース内に配置した状態で、本体ケースの開口を覆う蓋ケースと、
を備えことを特徴とする。
【００１７】
上記構成により、取付板の前面側に保護ハウジングを配置した取付構造と、取付板の後面側に保護ハウジングを配置した取付構造の何れにも使用することができる。従って、本体ケースと蓋ケースを予め製造しておくことにより、ユーザはスイッチ装置の取付けに際して、その周辺環境等を考慮していずかの取付構造を選択して使用することが可能となり、極めて利便性が高い。
【発明の効果】
【００１８】
本発明の取付構造によれば、以下の効果を奏する。
（１）取付板の前面側に位置する操作ブロック部と取付板の後面側に位置する保護ハウジングとで取付板を挟んだ状態で取付けられることにより、取付板の前面側には操作ブロック部のみが存在することになり、取付板の前面側への突出量を小さくできる。
（２）また、保護ハウジングによって接点ブロック部を収納するので、複数のスイッチの各接点ブロック部を一括して収納することが可能となる。
（３）また、保護ハウジングを使用するので、配線作業完了後に保護ハウジングを閉じればよいので、保護カバーを用いる従来例に比べて作業性が良好である。
（４）更に、保護ハウジングによって接点ブロック部を収納するので、保護カバーを用いる従来例に比べて接点ブロックの防水・防塵機能が向上する。
また、本発明の保護ハウジングによれば、以下の効果を奏する。
即ち、取付板の前面側に保護ハウジングを配置した取付構造と、取付板の後面側に保護ハウジングを配置した取付構造の何れにも使用することができる。従って、本体ケースと蓋ケースを予め製造しておくことにより、ユーザはスイッチ装置の取付けに際して、その周辺環境等を考慮していずかの取付構造を選択して使用することが可能となり、極めて利便性が高い。
【発明を実施するための最良の形態】
【００１９】
以下、本発明に係るスイッチ装置を実施の形態に基づいて詳述する。なお、本発明は、以下の実施の形態に限定されるものではない。
【００２０】
（実施の形態１）
図１は本発明に係るスイッチ装置の斜視図である。スイッチ装置１は、操作ブロック部（操作部とも称す）２と、操作ブロック部２と着脱自在な接点ブロック部３（接点部とも称す）（図２参照）と、接点ブロック部３を収納する防水・防塵用保護ハウジング４とを有する。操作ブロック部２は取付パネル５の前面側に配置され、保護ハウジング４は取付パネル５の後面側に配置されている。保護ハウジング４は、合成樹脂製の半割れ状であって、有底角筒状本体ケース６と、接点ブロック部３を本体ケース６内に配置した状態で本体ケース６の開口部を覆って本体ケース６に固定される蓋ケース７とから構成されている。なお、保護ハウジング４は、アルミニウム等の金属製であってもよい。但し、金属製の場合は、収納される接点ブロック部３とで絶縁性が確保されるに充分な距離を確保する必要がある。
【００２１】
図２は本発明に係るスイッチ装置の分解斜視図、図３は蓋ケースの正面図、図４は蓋ケースの背面図、図５は本体ケースの正面図、図６は本体ケースの平面図、図７は本体ケースの背面図である。蓋ケース７は有底角筒状であって、その底面７ａの４隅には取付ネジ８が挿通する挿通孔９が形成されている。また、蓋ケース７の開口周縁部７ｂにはシール部材１０が嵌り込む凹部１１が形成されている。なお、蓋ケース７の中央部には挿通孔を形成可能な孔形成部１６が設けられているが、本実施の形態１では孔形成部１６は打ち抜きされずに使用される。
【００２２】
一方、本体ケース６は有底角筒状であって、その底面６ａが取付パネル５に取り付けられる。本体ケース６の開口側周縁部６ｂの４隅には、取付ネジ８が螺合するネジ孔１２（図５参照）が形成されている。底面６ａの中央部には、操作ブロック部２の後端部２ａが挿通可能な取付孔１３が形成されている。また、底面６ａの４隅には取付ネジ１４が螺合するネジ孔１５（図７参照）が形成されている。本体ケース６の周面の少なくとも１面（本実施の形態では上面６ｃ、下面６ｄ）には、電線ケーブル引出し用孔を形成可能な孔形成部１６が設けられており、下面６ｄには既に打ち抜かれて挿通孔１７（図５参照）が形成されている。なお、この孔形成部１６は、図１０に示すように、打ち抜き部位を円形の薄肉加工した薄肉加工部４０を設け、孔形成部を軽く叩くと打ち抜かれるノックアウト式の孔形成部である。
【００２３】
そして、当該挿通孔１７には、電線ケーブル１８を引き出すための引出管１９が取り付けられている。この引出管１９は、図８及び図９に示すように、中空状の引出管本体部２０と、キャップ部２１とを備えている。引出管本体部２０は、側面中央部に本体ケース６に当接する６角状の突出部２２を備えた円筒体であって外周面にネジ部が形成されている。また、引出管本体部２０の下端部には縦方向に延びるスリット２３が形成されており、電線ケーブル１８の外周面に弾性的に当接触し、この状態でキャップ部２１の装着によりシール性が発揮されるようになっている。なお、本体ケース６内には、挿通孔１７の両側に係止部材２５によって係止された固定部材２６が備えられており、挿通孔１７を挿通した引出管本体部２０の上端部が固定部材２６と螺合して固定されている。また、係止部材２５は省略してもよい。
【００２４】
なお、取付パネル５には、操作ブロック部２の後端部２ａが挿通可能な取付孔５ａ（図２参照）が形成されており、また、取付ネジ１４が挿通する挿通孔５ｂ（図２参照）が形成されている。
次いで、上記構成の本体ケース６及び蓋ケース７を用いてスイッチ装置を取付パネル５に取付ける方法について説明する。先ず、図１１に示すように、本体ケース６の底面６ａをシール部材２８（図２参照）を介して取付パネル５の後面に当触させ、この状態で操作ブロック部２の後端部２ａを取付孔５ａ、取付孔１３を挿通させて、固定部材２９を操作ブロック部２の後端部２ａから螺合させて固定部材２９と操作ブロック部２とで取付パネル５とシール部材２８と本体ケース６とを締め付けて固定する。次に、操作ブロック部２の後端部２ａに接点ブロック部３を挿入し、挿入した接点ブロック部３が抜け落ちるのを防止するためのロックレバー３０で接点ブロック部３を操作ブロック部２に連結固定する。
【００２５】
次いで、本体ケース６の軸回り回転を防止する。即ち、操作ブロック部２と接点ブロック部３とが固定部材２９によって取付パネル５に固定された状態では、本体ケース６は操作ブロック部２の軸回りに回転可能な状態である。なぜなら、取付孔１３は円形であり、且つ、取付孔１３に対応する操作ブロック部２の部位が円形であるので、本体ケース６は軸回りの回転が規制されていない状態だからである。そこで、取付ネジ１４を取付パネル５の挿通孔５ｂを介して本体ケース６のネジ孔１５に螺合させて、本体ケース６を取付パネル５に固定する。これにより、本体ケース６は軸回りの回転が規制されることになり、加えて、スイッチ装置の支持補強が図られる。
【００２６】
なお、操作ブロック部２の取付孔１３に対応する当該部位が４角形等の角形状であれば、本体ケース６は軸回りの回転が規制されるので、取付ネジ１４により固定する必要はない。しかし、そのような角形状の操作ブロック部２を予め形成したスイッチ装置にしか適用できない。これに対して、本実施の形態の場合は、通常の円形状の操作ブロック部２を備えたスイッチ装置に広く適用することができるという利点がある。
【００２７】
次いで、接点ブロック部３に電線ケーブル１８を接続させた後、電線ケーブル１８を引引出管１９を介して外部に引き出し、キャップ部２１を引出管本体部２０に装着する。
次いで、蓋ケース７を本体ケース６に取付ける。具体的には、取付ネジ８を蓋ケース７の挿通孔９を挿通させて本体ケース６のネジ孔１２に螺合する。こうして、接点ブロック部３が保護ハウジング４に収納された防水・防塵構造が確保されると共に、取付パネル５の前面側に位置する操作ブロック部２と取付パネル５の裏面側に位置する保護ハウジング４とで取付パネル５を挟んだ状態で、スイッチ装置１が取付けられる。これにより、取付パネル５の前面側の突出量が極めて小さいスイッチ装置１の取付構造が得られる。なお、本実施の形態では、シール部材１０，２８によって、より一層防水防塵の性能が確保されている。
【００２８】
また、保護ハウジング４は、半割れ状であって、本体ケース６と、本体ケース６の開口を覆って本体ケース６に固定される蓋ケース７とから構成されているので、本体ケース６内で接点ブロック部３に電線ケーブル１８を接続し、この電線ケーブル１８を引出菅１９から引き出した後に、即ち、必要な配線後に、蓋ケース７を取り付けることができ、従来例のように配線作業と共に保護カバーを取り付けるという煩わしさがなく、作業性が良好である。
【００２９】
上記の例では、引出管１９を本体ケース６の下面６ｄに設け、電線ケーブル１８を引出管１９を介して、下方に引き出したけれども、引出管１９を本体ケース６の上面６ｃに設け、電線ケーブル１８を上方に引き出してもよい。
【００３０】
また、本体ケース６の周面の全ての面に、孔形成部１６を設けておき、電線ケーブル１８の上下左右任意の引き出し方向に応じ、当該孔形成部１６を打ち抜くようにしてもよい。
また、孔形成部１６は、上記の例では孔形成部を軽く叩くと打ち抜かれるノックアウト式の孔形成部であったけれども、ドリルで孔を開け易くするための窪みであってもよい。また、ユーザが孔を開ける手間を省くために、必要箇所に孔を予め形成したものであってもよい。
【００３１】
（実施の形態２）
本実施の形態２では、上記実施の形態１に使用した保護ハウジング４を用いて、図１２に示すように取付パネルの前面側に保護ハウジング４を配置して取り付ける取付構造について説明する。この図１２に示す構造は、従来例のボックス型のスイッチ装置の取付構造に類似した取付構造である。即ち、実施の形態２では、同一の保護ハウジング４を図１に示すスイッチ装置の取付構造と、図１２に示すスイッチ装置の取付構造の何れにも兼用することが可能であることを特徴とするものである。
【００３２】
保護ハウジング４を使用する図１に示すスイッチ装置の取付構造については、既に述べたので、以下においては図１２に示すスイッチ装置の取付構造について説明する。
なお、ユーザは、蓋ケース７の底面７ａの孔形成部１６を打ち抜き、操作ブロック部２の後端部２ａが挿入する取付孔３９を形成する。また、本体ケース６は、実施の形態１と異なり孔形成部１６を打ち抜くことなく、そのままの状態としておく。従って、本体ケース６には、引出管１９は取付けられていない。このような本体ケース６と蓋ケース７とを用いて、図１２に示すように取付パネル５の前面に保護ハウジング４を配置してスイッチ装置１を取り付ける。
【００３３】
先ず、本体ケース６の底面６ａを取付パネル５の前面に当接させた状態で取付ネジ１４によって本体ケース６を取付パネル５に固定する。
一方、蓋ケース７の取付孔３９に、外側から内側に向けて操作ブロック部２の後端部２ａを挿入し、実施の形態１で説明したのと同様にして、操作ブロック部２と接点ブロック部３とを連結固定して固定部材２９によって蓋ケース７に固定する。なお、シール部材を蓋ケース７の底面７ａと操作ブロック部２との間に介在させてもよい。
【００３４】
次いで、上記のように蓋ケース７に操作ブロック部２及び接点ブロック部３が取り付けられた状態で、接点ブロック部３に電線ケーブル１８を接続する。そして、電線ケーブル１８の接続後に、電線ケーブル１８を取付孔１３及び取付パネル５の挿通孔５ａから取付パネル５の裏面側に引き出すと共に、蓋ケース７を本体ケース６に取り付ける。具体的には、取付ネジ８を挿通孔９に挿通させネジ孔１２に螺合させる。
【００３５】
こうして、図１２に示すように、取付パネル５の前面側に保護ハウジング４が配置され、この保護ハウジング４内に接点ブロック部３が収納された防水・防塵構造が確保されたスイッチ装置１が取付パネル５に取付けられた状態が得られる。あるいは、図１同様、本体ケース６の周面から電線ケーブル１８を引き出してもよい。
【００３６】
このように、本体ケース６と蓋ケース７とを備えた保護ハウジング４は、取付パネル５の前面側に保護ハウジング４を配置した取付構造と、取付パネル５の後面側に保護ハウジング４を配置した取付構造の何れにも使用することができる。従って、本体ケース６と蓋ケース７とを予め製造しておくことにより、ユーザはスイッチ装置１の取付けに際して、その周辺環境等を考慮していずかの取付構造を選択して使用することが可能となり、極めて利便性が高い。
【００３７】
（実施の形態３）
図１３は実施の形態３に係る取付構造を示す分解斜視図である。この実施の形態３では、本体ケース６の周面の何れかの面（本実施の形態では右面６ｅ）を取付パネル５の後面に当接させて取付ける取付構造を特徴とするものである。実施の形態１の本体ケース６と異なる点は、本体ケース６の底面６ａに取付孔１３が形成されていないことである。即ち、この実施の形態３においては、本体ケース６の周面のみならず、底面６ａにも孔形成部１６が形成されており、使用に際して、ユーザは本体ケース６の周面の２面（下面６ｄ、右面６ｅ）のみ孔形成部１６を打ち抜き、下面６ｄに形成された挿通孔に引出管１９を装着し、右面６ｅに形成された挿通孔を操作ブロック部２の取付孔１３として使用する。また、本体ケース６の右面６ｅの４角には、ネジ孔が形成されており、このネジ孔を取付ネジ１４が螺合するネジ孔１５として使用する。
【００３８】
先ず、本体ケース６の右面６ｅをシール部材２８を介して取付パネル５の裏面に当触させ、この状態で操作ブロック部２の後端部２ａを取付パネル５の取付孔５ａ、本体ケース６の取付孔１３を挿通させて、接点ブロック部３に連結固定させる。次いで、本体ケース６の軸回りの回転防止及び支持補強のため、取付ネジ１４を取付パネル５の挿通孔５ｂを介して本体ケース６のネジ孔１５に螺合させる。
【００３９】
次いで、実施の形態１と同様に、接点ブロック部３に電線ケーブル１８を接続させた後、電線ケーブル１８を引出管１９を介して外部に引き出し、次いで、取付ネジ８を挿通孔９に挿通させネジ孔１２に螺合させ、蓋ケース７を本体ケース６に取付ける。
【００４０】
こうして、本体ケース６の周面の何れかの面（本実施の形態では右面６ｅ）を取付パネル５の後面に当接させた取付構造が得られる。なお、取付パネル５の後面に障害物が存在するような場合、実施の形態１のような本体ケース６の底面６ａを取付パネル５の後面に当接させた取付構造では、横幅の占め占有空間が大きすぎて当該障害物とぶつかってしまう恐れがある。これに対して、本実施の形態３に係る取付構造であれば、横幅の占め占有空間が小さいので、かかる問題を解決することができる。
【００４１】
（その他の事項）
上記実施の形態１においては、保護ハウジングは１個の接点ブロック部を収納保護するようにしたけれども、複数のスイッチ装置の各接点ブロック部を一括して収納保護することも可能である。また、取付パネル５に本体ケース６を取り付けるのに取付ネジ１４を、本体ケース６の外部から内部に向けて螺合させた場合を説明したが、本体ケース６の内部から外部に向けて螺合させる構成にしてもよい。
【産業上の利用可能性】
【００４２】
本発明は、スイッチ装置の取付状態に好適に実施することができる。
【図面の簡単な説明】
【００４３】
【図１】本発明に係るスイッチ装置の取付状態を示す斜視図である。
【図２】本発明に係るスイッチ装置の分解斜視図である。
【図３】蓋ケースの正面図である。
【図４】蓋ケースの背面図である。
【図５】本体ケースの正面図である。
【図６】本体ケースの平面図である。
【図７】本体ケースの背面図である。
【図８】本体ケースに備えられた引出菅の分解斜視図である。
【図９】本体ケースに備えられた引出菅付近の断面図である。
【図１０】孔形成部付近の断面図である。
【図１１】スイッチ装置の取付工程を説明するための図である。
【図１２】保護ハウジングを用いて取付パネルの前面側にスイッチ装置が取付けられた状態を示す斜視図である。
【図１３】実施の形態３に係る取付構造を示す分解斜視図である。
【図１４】従来例の取付工程を示す図である。
【符号の説明】
【００４４】
１：スイッチ装置                      ２：操作ブロック部
３：接点ブロック部                    ４：保護ハウジング
５：取付パネル                        ６：本体ケース
７：蓋ケース                        １６：孔形成部
１８：電線ケーブル                    １９：引出菅
【図１】
0004685577.tif 000002
【図２】
0004685577.tif 000003
【図３】
0004685577.tif 000004
【図４】
0004685577.tif 000005
【図５】
0004685577.tif 000006
【図６】
0004685577.tif 000007
【図７】
0004685577.tif 000008
【図８】
0004685577.tif 000009
【図９】
0004685577.tif 000010
【図１０】
0004685577.tif 000011
【図１１】
0004685577.tif 000012
【図１２】
0004685577.tif 000013
【図１３】
0004685577.tif 000014
【図１４】
0004685577.tif 000015